【手続補正書】
【提出日】平成28年4月6日(2016.4.6)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビットストリームのコード化ビデオシーケンス中の特定のクリーンランダムアクセス（ＣＲＡ）アクセスユニットから前記ビットストリームへのランダムアクセスが、前記特定のＣＲＡアクセスユニットまたは後続のアクセスユニットを復号するために、前記ビットストリーム中の少なくとも１つの前のアクセスユニットからの１つまたは複数のパラメータセットを必要とするかどうかを示す、前記ビデオデータの前記ビットストリーム中のインジケータを復号することと、ここで、前記特定のＣＲＡアクセスユニットが、前記ビットストリームの前記コード化ビデオシーケンス内の任意のポイントに配置され、かつ復号ピクチャバッファ（ＤＰＢ）をクリーンにしない、
前のアクセスユニットからのどのパラメータセットも必要とされないことを示す前記インジケータに基づいて、前記ビットストリーム中の前記少なくとも１つの前のアクセスユニットから前記パラメータセットをフェッチせずに、前記特定のＣＲＡアクセスユニットから前記ビットストリームへのランダムアクセスを実行することと
を備える方法。
【請求項２】
少なくとも１つの前のアクセスユニットからのパラメータセットが必要とされることを示す前記インジケータに基づいて、前記ビットストリーム中の前記少なくとも１つの前のアクセスユニットからの前記パラメータセットのフェッチングとともに、前記特定のＣＲＡアクセスユニットから前記ビットストリームへのランダムアクセスを実行するかどうか判断することをさらに備える、請求項１に記載の方法。
【請求項３】
前記ビットストリームへのランダムアクセスが、前のアクセスユニットからパラメータセットをフェッチせずに、別のランダムアクセスポイント（ＲＡＰ）ピクチャから利用可能であることに基づいて、前記少なくとも１つの前のアクセスユニットから前記パラメータセットをフェッチするのを避けるために、前記特定のＣＲＡアクセスユニットから前記ビットストリームへのランダムアクセスを実行しないと判断することをさらに備える、請求項２に記載の方法。
【請求項４】
別のランダムアクセスポイント（ＲＡＰ）ピクチャから前記ビットストリームへのランダムアクセスが利用可能でないことに基づいて、前記少なくとも１つの前のアクセスユニットから前記パラメータセットをフェッチした後、前記特定のＣＲＡアクセスユニットから前記ビットストリームへのランダムアクセスを実行すると判断することをさらに備える、請求項２に記載の方法。
【請求項５】
前のアクセスユニットからのどのパラメータセットも必要とされないことを示す前記インジケータに基づいて、前記特定のＣＲＡアクセスユニットが、前記特定のＣＲＡアクセスユニットまたは後続のアクセスユニットを復号するために必要とされるすべてのパラメータセットを含む、請求項１に記載の方法。
【請求項６】
前記インジケータが、前記ビットストリームに含まれる１つまたは複数のＣＲＡアクセスユニットの各々についてのインジケータを備える、請求項１に記載の方法。
【請求項７】
前記インジケータが、前記ビットストリームの前記コード化ビデオシーケンス中の前記特定のＣＲＡアクセスユニットの補足強調情報（ＳＥＩ）メッセージに含まれるシンタックス要素を備える、請求項１に記載の方法。
【請求項８】
前記インジケータが、前記ビットストリームの前記コード化ビデオシーケンス中の前記特定のＣＲＡアクセスユニットに含まれる特定のタイプのネットワークアブストラクションレイヤ（ＮＡＬ）ユニットを備える、請求項１に記載の方法。
【請求項９】
前記インジケータが、前記ビットストリームの前記コード化ビデオシーケンス中の前記特定のＣＲＡアクセスユニットに含まれるネットワークアブストラクションレイヤ（ＮＡＬ）ユニットペイロードに含まれるシンタックス要素を備える、請求項１に記載の方法。
【請求項１０】
前記インジケータを復号することが、第１の別個のＮＡＬユニットタイプをもつネットワークアブストラクションレイヤ（ＮＡＬ）ユニットに含まれる特定のタイプのシーケンスパラメータセット（ＳＰＳ）、第２の別個のＮＡＬユニットタイプをもつＮＡＬユニットに含まれる特定のタイプのアクセスユニットデリミタ、特定のタイプの補足強調情報（ＳＥＩ）メッセージ、アクセスユニットデリミタＮＡＬユニットのペイロードに含まれるシンタックス要素、ＮＡＬユニットヘッダに含まれるシンタックス要素、またはＳＥＩメッセージに含まれるシンタックス要素、のうちの１つから前記インジケータを復号することを備える、請求項１に記載の方法。
【請求項１１】
前記少なくとも１つの前のアクセスユニットが、復号順序または出力順序のうちの１つにおいて前記特定のＣＲＡアクセスユニットに先行するアクセスユニットである、請求項１に記載の方法。
【請求項１２】
前記ビットストリームへのランダムアクセスが前記特定のＣＲＡアクセスユニットから実行されることに基づいて、前記少なくとも１つの前のアクセスユニットが、復号されず、復号順序または出力順序のうち１つで、前記特定のＣＲＡアクセスユニットの後に続くアクセスユニット用の参照ピクチャとしての使用のために、前記ＤＰＢにおいて、利用不可能である、請求項１１に記載の方法。
【請求項１３】
前記ビットストリームへのランダムアクセスが、前記コード化ビデオシーケンス中で前記特定のＣＲＡアクセスユニットに先行するランダムアクセスポイント（ＲＡＰ）ピクチャから実行されることに基づいて、前記少なくとも１つの前のアクセスユニットが、復号され、復号順序または出力順序のうちの１つにおいて、前記特定のＣＲＡアクセスユニットの後に続くアクセスユニット用の参照ピクチャとしての使用のために、前記ＤＰＢにおいて、利用可能である、請求項１１に記載の方法。
【請求項１４】
ビデオデータを符号化する方法であって、
ビデオデータのビットストリームのコード化ビデオシーケンス中の１つまたは複数のクリーンランダムアクセス（ＣＲＡ）アクセスユニットを符号化することと、ここで、前記ＣＲＡアクセスユニットが、前記ビットストリームの前記コード化ビデオシーケンス内の任意のポイントに配置され、復号ピクチャバッファ（ＤＰＢ）をクリーンにしない、
前記ビットストリームの前記コード化ビデオシーケンス中の特定のＣＲＡアクセスユニットから前記ビットストリームへのランダムアクセスが、前記特定のＣＲＡアクセスユニットまたは後続のアクセスユニットを復号するために、前記ビットストリーム中の少なくとも１つの前のアクセスユニットからの１つまたは複数のパラメータセットを必要とするかどうかを示す、前記ビットストリーム中のインジケータを符号化することと、ここで、前のアクセスユニットからのどのパラメータセットも必要とされないことを示す前記インジケータに基づいて、前記特定のＣＲＡアクセスユニットから前記ビットストリームへのランダムアクセスが、前記ビットストリーム中の前記少なくとも１つの前のアクセスユニットから前記パラメータセットをフェッチせずに実行され得る、
を備える方法。
【請求項１５】
少なくとも１つの前のアクセスユニットからのパラメータセットが必要とされることを示す前記インジケータに基づいて、前記特定のＣＲＡアクセスユニットから前記ビットストリームへのランダムアクセスが、前記少なくとも１つの前のアクセスユニットから前記パラメータセットをフェッチした後に実行され得る、請求項１４に記載の方法。
【請求項１６】
前のアクセスユニットからのどのパラメータセットも必要とされないことを示す前記インジケータに基づいて、前記特定のＣＲＡアクセスユニットが、前記特定のＣＲＡアクセスユニットまたは後続のアクセスユニットを復号するために必要とされるすべてのパラメータセットを含む、請求項１４に記載の方法。
【請求項１７】
前記インジケータが、前記ビットストリームに含まれる１つまたは複数のＣＲＡアクセスユニットの各々についてのインジケータを備える、請求項１４に記載の方法。
【請求項１８】
前記インジケータが、前記ビットストリームの前記コード化ビデオシーケンス中の前記特定のＣＲＡアクセスユニットの補足強調情報（ＳＥＩ）メッセージに含まれるシンタックス要素を備える、請求項１４に記載の方法。
【請求項１９】
前記インジケータが、前記ビットストリームの前記コード化ビデオシーケンス中の前記特定のＣＲＡアクセスユニットに含まれる特定のタイプのネットワークアブストラクションレイヤ（ＮＡＬ）ユニットを備える、請求項１４に記載の方法。
【請求項２０】
前記インジケータが、前記ビットストリームの前記コード化ビデオシーケンス中の前記特定のＣＲＡアクセスユニットに含まれるネットワークアブストラクションレイヤ（ＮＡＬ）ユニットペイロードに含まれるシンタックス要素を備える、請求項１４に記載の方法。
【請求項２１】
前記インジケータを符号化することが、第１の別個のＮＡＬユニットタイプをもつネットワークアブストラクションレイヤ（ＮＡＬ）ユニットに含まれる特定のタイプのシーケンスパラメータセット（ＳＰＳ）、第２の別個のＮＡＬユニットタイプをもつＮＡＬユニットに含まれる特定のタイプのアクセスユニットデリミタ、特定のタイプの補足強調情報（ＳＥＩ）メッセージ、アクセスユニットデリミタＮＡＬユニットのペイロードに含まれるシンタックス要素、ＮＡＬユニットヘッダに含まれるシンタックス要素、またはＳＥＩメッセージに含まれるシンタックス要素、のうちの１つにおいて前記インジケータを符号化することを備える、請求項１４に記載の方法。
【請求項２２】
前記少なくとも１つの前のアクセスユニットが、復号順序または出力順序のうちの１つにおいて前記特定のＣＲＡアクセスユニットに先行するアクセスユニットである、請求項１４に記載の方法。
【請求項２３】
ビデオデータを復号するためのビデオ復号デバイスであって、
ビデオデータを記憶するように構成されたメモリと、
ビットストリームのコード化ビデオシーケンス中の特定のクリーンランダムアクセス（ＣＲＡ）アクセスユニットから前記ビットストリームへのランダムアクセスが、前記特定のＣＲＡアクセスユニットまたは後続のアクセスユニットを復号するために、前記ビットストリーム中の少なくとも１つの前のアクセスユニットからの１つまたは複数のパラメータセットを必要とするかどうかを示す、前記ビデオデータの前記ビットストリーム中のインジケータを復号することと、ここで、前記特定のＣＲＡアクセスユニットが、前記ビットストリームの前記コード化ビデオシーケンス内の任意のポイントに配置され、復号ピクチャバッファ（ＤＰＢ）をクリーンにしない、および、前のアクセスユニットからのどのパラメータセットも必要とされないことを示す前記インジケータに基づいて、前記ビットストリーム中の前記少なくとも１つの前のアクセスユニットから前記パラメータセットをフェッチせずに、前記特定のＣＲＡアクセスユニットから前記ビットストリームへのランダムアクセスを実行することと
を行うように構成された１つまたは複数のプロセッサと
を備えるデバイス。
【請求項２４】
ビデオデータを符号化するためのビデオ符号化デバイスであって、
ビデオデータを記憶するように構成されたメモリと、
ビデオデータのビットストリームのコード化ビデオシーケンス中の１つまたは複数のクリーンランダムアクセス（ＣＲＡ）アクセスユニットを符号化することと、ここで、前記ＣＲＡアクセスユニットが、前記ビットストリームの前記コード化ビデオシーケンス内の任意のポイントに配置され、復号ピクチャバッファ（ＤＰＢ）をクリーンにしない、オヨび、前記ビットストリームの前記コード化ビデオシーケンス中の特定のＣＲＡアクセスユニットから前記ビットストリームへのランダムアクセスが、前記特定のＣＲＡアクセスユニットまたは後続のアクセスユニットを復号するために、前記ビットストリーム中の少なくとも１つの前のアクセスユニットからの１つまたは複数のパラメータセットを必要とするかどうかを示す、前記ビットストリーム中のインジケータを符号化することと、ここで、前のアクセスユニットからのどのパラメータセットも必要とされないことを示す前記インジケータに基づいて、前記特定のＣＲＡアクセスユニットから前記ビットストリームへのランダムアクセスが、前記ビットストリーム中の前記少なくとも１つの前のアクセスユニットから前記パラメータセットをフェッチせずに実行され得る、
を行うように構成された１つまたは複数のプロセッサと
を備えるデバイス。
【請求項２５】
少なくとも１つの前のアクセスユニットからのパラメータセットが必要とされることを示す前記インジケータに基づいて、前記プロセッサが、前記ビットストリーム中の前記少なくとも１つの前のアクセスユニットからの前記パラメータセットのフェッチングとともに、前記特定のＣＲＡアクセスユニットから前記ビットストリームへのランダムアクセスを実行するかどうか判断するように構成される、請求項２３に記載のデバイス。
【請求項２６】
前記ビットストリームへのランダムアクセスが、前のアクセスユニットからパラメータセットをフェッチせずに、別のランダムアクセスポイント（ＲＡＰ）ピクチャから利用可能であることに基づいて、前記プロセッサが、前記少なくとも１つの前のアクセスユニットから前記パラメータセットをフェッチするのを避けるために、前記特定のＣＲＡアクセスユニットから前記ビットストリームへのランダムアクセスを実行しないと判断するように構成される、請求項２５に記載のデバイス。
【請求項２７】
別のランダムアクセスポイント（ＲＡＰ）ピクチャから前記ビットストリームへのランダムアクセスが利用可能でないことに基づいて、前記プロセッサが、前記少なくとも１つの前のアクセスユニットから前記パラメータセットをフェッチした後、前記特定のＣＲＡアクセスユニットから前記ビットストリームへのランダムアクセスを実行すると判断するように構成される、請求項２５に記載のデバイス。
【請求項２８】
前のアクセスユニットからのどのパラメータセットも必要とされないことを示す前記インジケータに基づいて、前記特定のＣＲＡアクセスユニットが、前記特定のＣＲＡアクセスユニットまたは後続のアクセスユニットを復号するために必要とされるすべてのパラメータセットを含む、請求項２３または２４のいずれかに記載のデバイス。
【請求項２９】
前記インジケータが、前記ビットストリームに含まれる１つまたは複数のＣＲＡアクセスユニットの各々についてのインジケータを備える、請求項２３または２４のいずれかに記載のデバイス。
【請求項３０】
前記インジケータが、前記ビットストリームの前記コード化ビデオシーケンス中の前記特定のＣＲＡアクセスユニットの補足強調情報（ＳＥＩ）メッセージに含まれるシンタックス要素を備える、請求項２３または２４のいずれかに記載のデバイス。
【請求項３１】
前記インジケータが、前記ビットストリームの前記コード化ビデオシーケンス中の前記特定のＣＲＡアクセスユニットに含まれる特定のタイプのネットワークアブストラクションレイヤ（ＮＡＬ）ユニットを備える、請求項２３または２４のいずれかに記載のデバイス。
【請求項３２】
前記インジケータが、前記ビットストリームの前記コード化ビデオシーケンス中の前記特定のＣＲＡアクセスユニットに含まれるネットワークアブストラクションレイヤ（ＮＡＬ）ユニットペイロードに含まれるシンタックス要素を備える、請求項２３または２４のいずれかに記載のデバイス。
【請求項３３】
前記１つまたは複数のプロセッサが、第１の別個のＮＡＬユニットタイプをもつネットワークアブストラクションレイヤ（ＮＡＬ）ユニットに含まれる特定のタイプのシーケンスパラメータセット（ＳＰＳ）、第２の別個のＮＡＬユニットタイプをもつＮＡＬユニットに含まれる特定のタイプのアクセスユニットデリミタ、特定のタイプの補足強調情報（ＳＥＩ）メッセージ、アクセスユニットデリミタＮＡＬユニットのペイロードに含まれるシンタックス要素、ＮＡＬユニットヘッダに含まれるシンタックス要素、またはＳＥＩメッセージに含まれるシンタックス要素、のうちの１つから前記インジケータを復号するように構成される、請求項２３に記載のデバイス。
【請求項３４】
前記１つまたは複数のプロセッサが、第１の別個のＮＡＬユニットタイプをもつネットワークアブストラクションレイヤ（ＮＡＬ）ユニットに含まれる特定のタイプのシーケンスパラメータセット（ＳＰＳ）、第２の別個のＮＡＬユニットタイプをもつＮＡＬユニットに含まれる特定のタイプのアクセスユニットデリミタ、特定のタイプの補足強調情報（ＳＥＩ）メッセージ、アクセスユニットデリミタＮＡＬユニットのペイロードに含まれるシンタックス要素、ＮＡＬユニットヘッダに含まれるシンタックス要素、またはＳＥＩメッセージに含まれるシンタックス要素、のうちの１つにおいて前記インジケータを符号化するように構成される、請求項２４に記載のデバイス。
【請求項３５】
前記少なくとも１つの前のアクセスユニットが、復号順序または出力順序のうちの１つにおいて前記特定のＣＲＡアクセスユニットに先行するアクセスユニットである、請求項２３または２４のいずれかに記載のデバイス。
【請求項３６】
前記ビットストリームへのランダムアクセスが前記特定のＣＲＡアクセスユニットから実行されることに基づいて、前記少なくとも１つの前のアクセスユニットが、復号されず、および、復号順序または出力順序のうち１つにおいて前記特定のＣＲＡアクセスユニットの後に続くアクセスユニット用の参照ピクチャとしての使用のために、前記ＤＰＢにおいて、利用不可能である、請求項３５に記載のデバイス。
【請求項３７】
前記ビットストリームへのランダムアクセスが、前記コード化ビデオシーケンス中で前記特定のＣＲＡアクセスユニットに先行するランダムアクセスポイント（ＲＡＰ）ピクチャから実行されることに基づいて、前記少なくとも１つの前のアクセスユニットが、復号され、および、復号順序または出力順序のうちの１つにおいて、前記特定のＣＲＡアクセスユニットの後に続くアクセスユニット用の参照ピクチャとしての使用のために、前記ＤＰＢにおいて、利用可能である、請求項３５に記載のデバイス。
【請求項３８】
ビデオデータを復号するためのビデオ復号デバイスであって、
ビットストリームのコード化ビデオシーケンス中の特定のクリーンランダムアクセス（ＣＲＡ）アクセスユニットから前記ビットストリームへのランダムアクセスが、前記特定のＣＲＡアクセスユニットまたは後続のアクセスユニットを復号するために、前記ビットストリーム中の少なくとも１つの前のアクセスユニットからの１つまたは複数のパラメータセットを必要とするかどうかを示す、前記ビデオデータの前記ビットストリーム中のインジケータを復号するための手段と、ここで、前記特定のＣＲＡアクセスユニットが、前記ビットストリームの前記コード化ビデオシーケンス内の任意のポイントに配置され、復号ピクチャバッファ（ＤＰＢ）をクリーンにしない、
前のアクセスユニットからのどのパラメータセットも必要とされないことを示す前記インジケータに基づいて、前記ビットストリーム中の前記少なくとも１つの前のアクセスユニットから前記パラメータセットをフェッチせずに、前記特定のＣＲＡアクセスユニットから前記ビットストリームへのランダムアクセスを実行するための手段と
を備えるデバイス。
【請求項３９】
少なくとも１つの前のアクセスユニットからのパラメータセットが必要とされることを示す前記インジケータに基づいて、前記ビットストリーム中の前記少なくとも１つの前のアクセスユニットからの前記パラメータセットのフェッチングとともに、前記特定のＣＲＡアクセスユニットから前記ビットストリームへのランダムアクセスを実行するかどうか判断するための手段をさらに備える、請求項３８に記載のデバイス。
【請求項４０】
前のアクセスユニットについてのどのパラメータセットも必要とされないことを示す前記インジケータに基づいて、前記特定のＣＲＡアクセスユニットが、前記特定のＣＲＡアクセスユニットまたは後続のアクセスユニットを復号するために必要とされるすべてのパラメータセットを含む、請求項３８に記載のデバイス。
【請求項４１】
前記インジケータが、前記ビットストリームに含まれる１つまたは複数のＣＲＡアクセスユニットの各々についてのインジケータを備える、請求項３８に記載のデバイス。
【請求項４２】
前記インジケータが、前記ビットストリームの前記コード化ビデオシーケンス中の前記特定のＣＲＡアクセスユニットの補足強調情報（ＳＥＩ）メッセージに含まれるシンタックス要素を備える、請求項３８に記載のデバイス。
【請求項４３】
前記インジケータが、前記ビットストリームの前記コード化ビデオシーケンス中の前記特定のＣＲＡアクセスユニットに含まれる特定のタイプのネットワークアブストラクションレイヤ（ＮＡＬ）ユニットを備える、請求項３８に記載のデバイス。
【請求項４４】
前記インジケータが、前記ビットストリームの前記コード化ビデオシーケンス中の前記特定のＣＲＡアクセスユニットに含まれるネットワークアブストラクションレイヤ（ＮＡＬ）ユニットペイロードに含まれるシンタックス要素を備える、請求項３８に記載のデバイス。
【請求項４５】
前記少なくとも１つの前のアクセスユニットが、復号順序または出力順序のうちの１つにおいて前記特定のＣＲＡアクセスユニットに先行するアクセスユニットである、請求項３８に記載のデバイス。
【請求項４６】
ビデオデータを復号するための命令を備えるコンピュータ可読媒体であって、前記命令が、実行されると、１つまたは複数のプロセッサに、
ビットストリームのコード化ビデオシーケンス中の特定のクリーンランダムアクセス（ＣＲＡ）アクセスユニットから前記ビットストリームへのランダムアクセスが、前記特定のＣＲＡアクセスユニットまたは後続のアクセスユニットを復号するために、前記ビットストリーム中の少なくとも１つの前のアクセスユニットからの１つまたは複数のパラメータセットを必要とするかどうかを示す、前記ビデオデータの前記ビットストリーム中のインジケータを復号することと、ここで、前記特定のＣＲＡアクセスユニットが、前記ビットストリームの前記コード化ビデオシーケンス内の任意のポイントに配置され、復号ピクチャバッファ（ＤＰＢ）をクリーンにしない、
前のアクセスユニットからのどのパラメータセットも必要とされないことを示す前記インジケータに基づいて、前記ビットストリーム中の前記少なくとも１つの前のアクセスユニットから前記パラメータセットをフェッチせずに、前記特定のＣＲＡアクセスユニットから前記ビットストリームへのランダムアクセスを実行することと
を行わせる、コンピュータ可読媒体。
【請求項４７】
少なくとも１つの前のアクセスユニットからのパラメータセットが必要とされることを示す前記インジケータに基づいて、前記プロセッサに、前記ビットストリーム中の前記少なくとも１つの前のアクセスユニットからの前記パラメータセットのフェッチングとともに、前記特定のＣＲＡアクセスユニットから前記ビットストリームへのランダムアクセスを実行するかどうか判断させる命令をさらに備える、請求項４６に記載のコンピュータ可読媒体。